(57)【要約】【課題】本発明は、相対回動構造体の基準部材に対する回動部材の相対角度位置を正確に検出可能な相対回動構造体を提供することを目的とするものである。【解決手段】基準部材１に対して一体となって相対回動する回動部材２および連結部材３を設け、連結部材３のカーリング端部先端１３で回動部材２の被係止面８を係止するとともに、回動部材２の第二丸孔９の周縁部に係合凹部１０１を設け、この係合凹部１０１と係合する係合突起部１０２を連結部材３のカーリング端部１２に設け、さらに連結部材３の鍔部１１に被検出部１４を形成する構成とした。【選択図】図２
2008039051.tif 000002
【特許請求の範囲】
【請求項１】
基準部材と、
この基準部材に対して相対回動可能な回動部材と、
この回動部材と一体となって前記基準部材に対して相対回動可能な連結部材とで構成した、
相対回動構造体であって、
前記基準部材は、前記回動部材と対向する第一相対回動面と、この第一相対回動面とは反対側の基準面と、この基準面および前記第一相対回動面を貫通する第一丸孔を有するものとし、
前記回動部材は、前記基準部材の前記第一相対回動面と対向する第二相対回動面と、この第二相対回動面とは反対側の被係止面と、前記基準部材の前記第一丸孔と同径で前記第二相対回動面および前記被係止面を貫通する第二丸孔と、この第二丸孔の周縁部に設けられた係合凹部を有するものとし、
前記連結部材は、前記基準部材の前記第一相対回動面と前記回動部材の前記第二相対回動面を対向させた状態で前記第一丸孔および前記第二丸孔に嵌合する中空の丸胴部と、この丸胴部の一方の端部に設けられるとともに前記基準部材の前記基準面に当接する鍔部と、前記丸胴部の他方の端部に設けられて前記回動部材の前記被係止面を係止するカーリング端部と、このカーリング端部の周縁部に設けられて前記回動部材の前記係合凹部と係合する係合突起部と、前記鍔部に形成された被検出部とを有するものとした、
相対回動構造体。
【発明の詳細な説明】
【技術分野】
【０００１】
本発明は、基準部材と、この基準部材に対して相対回動可能な回動部材および連結部材とを有する相対回動構造体に関するものである。
【背景技術】
【０００２】
従来の相対回動構造体は、図４、図５に示すような構成をしていた。図４は従来の相対回動構造体を示す分解斜視図であり、図５は同断面図である。
【０００３】
図４、図５に示すように、従来の相対回動構造体は、基準部材１と、この基準部材１に対して相対回動可能な回動部材２と、この回動部材２と一体となって基準部材１に対して相対回動可能な連結部材３とで構成されている。
【０００４】
基準部材１は、図４、図５に示すように、回動部材２と対向する第一相対回動面４と、この第一相対回動面４とは反対側の基準面５を有するとともに、この基準面５および第一相対回動面４を貫通する第一丸孔６を有している。
【０００５】
回動部材２は、図４、図５に示すように、基準部材１の第一相対回動面４と対向する第二相対回動面７と、この第二相対回動面７とは反対側の被係止面８を有するとともに、この被係止面８と第二相対回動面７を貫通する第二丸孔９を有している。この回動部材２の第二丸孔９は、基準部材１の第一丸孔６と同径のものとなっている。
【０００６】
連結部材３は、図４、図５に示すように、基準部材１の第一相対回動面４と回動部材２の第二相対回動面７を対向させた状態で基準部材１の第一丸孔６および回動部材２の第二丸孔９に嵌合する中空の丸胴部１０を有している。この丸胴部１０の一方の端部、すなわち、図４、図５に示す下方側の端部には鍔部１１が設けられており、この鍔部１１は、図５に示すように、基準部材１の基準面５に当接するようになっている。そして、丸胴部１０の他方の端部、すなわち、図４、図５に示す下方側の端部にはカーリング端部１２が設けられており、図５に示すように、カーリング端部先端１３で回動部材２の被係止面８を係止している。このような構成とすることで、回動部材２と連結部材３は一体となって、図４、図５に示す基準部材１に対して相対回動可能となっているのである。
【０００７】
また、図４、図５に示すように、連結部材３の鍔部１１の一部には切り欠きが形成されており、この切り欠きが被検出部１４となっている。この被検出部１４は、図示していない検出部によって、その角度位置を検出されるものであるが、連結部材３と一体となって回動する回動部材２の基準部材１に対する相対角度位置を基準部材１の基準面５側から検出するためのものである。
【０００８】
なお、この出願の発明に関する先行技術文献情報としては、例えば、特許文献１が知られている。
【特許文献１】特開２０００−１０５３９２号公報
【発明の開示】
【発明が解決しようとする課題】
【０００９】
上述のような従来の相対回動構造体では次のような課題があった。
【００１０】
すなわち、回動部材２と連結部材３との連結が、連結部材３のカーリング端部先端１３による回動部材２の被係止面８の係止のみによってなされており、カーリング端部先端１３の形状のばらつきにより、この係止が点接触で行われることとなってしまい、カーリング端部先端１３による係止力、すなわち、連結部材３と回動部材２の連結力が弱くなり、連結部材３と回動部材２が相対角度ずれを起こし、回動部材２の基準部材１に対する相対角度の誤検出を生じてしまっていた。
【００１１】
そこで、本発明は、相対回動構造体を構成する回動部材と連結部材の相対角度ずれを防止し、相対回動構造体の基準部材に対する回動部材の相対角度位置を正確に検出可能な相対回動構造体を提供することを目的とするものである。
【課題を解決するための手段】
【００１２】
そして、この目的を達成するために本発明は、基準部材と、この基準部材に対して相対回動可能な回動部材と、この回動部材と一体となって前記基準部材に対して相対回動可能な連結部材とで構成した、相対回動構造体であって、前記基準部材は、前記回動部材と対向する第一相対回動面と、この第一相対回動面とは反対側の基準面と、この基準面および前記第一相対回動面を貫通する第一丸孔を有するものとし、前記回動部材は、前記基準部材の前記第一相対回動面と対向する第二相対回動面と、この第二相対回動面とは反対側の被係止面と、前記基準部材の前記第一丸孔と同径で前記第二相対回動面および前記被係止面を貫通する第二丸孔と、この第二丸孔の周縁部に設けられた係合凹部を有するものとし、前記連結部材は、前記基準部材の前記第一相対回動面と前記回動部材の前記第二相対回動面を対向させた状態で前記第一丸孔および前記第二丸孔に嵌合する中空の丸胴部と、この丸胴部の一方の端部に設けられるとともに前記基準部材の前記基準面に当接する鍔部と、前記丸胴部の他方の端部に設けられて前記回動部材の前記被係止面を係止するカーリング端部と、このカーリング端部の周縁部に設けられて前記回動部材の前記係合凹部と係合する係合突起部と、前記鍔部に形成された被検出部とを有するものとしたものである。
【発明の効果】
【００１３】
以上の本発明の相対回動構造体によれば、この相対回動構造体を構成する回動部材と連結部材を強固に連結することによって、その相対角度ずれを防止し、相対回動構造体の基準部材に対する回動部材の相対角度位置を正確に検出することができる。
【発明を実施するための最良の形態】
【００１４】
（実施の形態１）
以下、本発明の実施の形態１における相対回動構造体について、図面を参照しながら説明する。本実施の形態の相対回動構造体は、従来の相対回動構造体の回動部材に係合凹部を設けるとともに、この係合凹部に係合する係合突起部を連結部材に設けたものであるので、従来の相対回動構造体と同様な構成については、同符号を付し、その詳細な説明は省略する。
【００１５】
図１は本発明の実施の形態１における相対回動構造体を示す分解斜視図であり、図２は同断面図であり、図３は図２のＡ−Ａ断面図である。
【００１６】
図１〜図３に示すように、回動部材２の第二丸孔９の周縁部には二つの係合凹部１０１が形成されている。そして、連結部材３のカーリング端部１２には、回動部材２の二つの係合凹部１０１に係合する係合突起部１０２が形成されている。
【００１７】
このように、本実施の形態の相対回動構造体は、回動部材２と連結部材３の連結が、連結部材３のカーリング端部先端１３による回動部材２の被係止面８の係止だけでなく、回動部材２の係合凹部１０１と連結部材３の係合突起部１０２によってなされているので、回動部材２と連結部材３の連結が強固なものとなり、回動部材２と連結部材３の相対角度ずれを防止できるものとなる。そして、このことによって、結果として、基準部材１に対する回動部材２の相対角度位置を正確に検出することが可能となる。
【産業上の利用可能性】
【００１８】
本発明に係る相対回動構造体は、基準部材に対する回動部材の相対角度位置を正確に検出することが可能となるので、電子機器等の一部を構成する相対回動構造体として有用なものである。
【図面の簡単な説明】
【００１９】
【図１】本発明の実施の形態１における相対回動構造体を示す分解斜視図
【図２】同断面図
【図３】図２のＡ−Ａ断面図
【図４】従来の相対回動構造体を示す分解斜視図
【図５】同断面図
【符号の説明】
【００２０】
１  基準部材
２  回動部材
３  連結部材
４  第一相対回動面
５  基準面
６  第一丸孔
７  第二相対回動面
８  被係止面
９  第二丸孔
１０  丸胴部
１１  鍔部
１２  カーリング端部
１３  カーリング端部先端
１４  被検出部
１０１  係合凹部
１０２  係合突起部
【図１】
2008039051.tif 000003
【図２】
2008039051.tif 000004
【図３】
2008039051.tif 000005
【図４】
2008039051.tif 000006
【図５】
2008039051.tif 000007